(57)【要約】      （修正有）【課題】水流を介して水車を衝撃することにより自動的な回転・散水の目的を達成する噴水器を提供する。【解決手段】噴水器の構造は、中空座体を一つ含むが、該中空座体の頂端の表面に複数の噴水孔２１３が設置され、そして中空座体の内に水車を一つ入れ込み、その他に中空座体の上・下の両端面に対応する一つの透過孔が設置され、該透過孔の上に一つの進水管軸が穿設され、該進水管軸の一端が閉鎖され、他端が水管に接続され、そして進水管軸の上に一つの出水口が設置され、更に一つの中空状導水部４３が進水管軸に嵌設され、そして進水管軸の出水口は、中空状導水部４３の内に位置する。水車回転台３１が強力な水流衝撃の影響により自動的に運転し始め、同時に中空座体の下殻体２２の凸リブ２２３が水車回転台３１と蓋板の凹口３１２と互いに掛合し、同期に中空座体が連動されて自動的に回転できる。【選択図】図４Ｂ
0003146740.tif 000002
【実用新案登録請求の範囲】
【請求項１】
下表面に透過孔が設置されて頂端の上表面に複数の噴水孔が設置される中空座体と、
中空座体の内壁面上に固定される水車と、
上端が閉鎖されて、下端が進水口で、且つ上端に近接する箇所に一つの出水口が設置されて、進水管軸の上端箇所が中空座体の下表面の透過孔を経由して中空座体の中に入り込んで、進水管軸の出水口が中空座体の内に位置されて、且つ進水管軸により中空座体の透過孔が封止される進水管軸と、
底面に接続孔が設置されて、両側に導水口が設けられて、中空状導水部の接続孔と進水管軸の上端部位が互いに固結されて、進水管軸の出水口が中空状導水部の内に位置されて、中空状導水部の両側の導水口が水車に対応して設置される中空状導水部と、
を含むことを特徴とする噴水器の構造。
【請求項２】
該水車は、水車回転台と蓋板を含むが、該水車回転台の上に複数個の羽根が配設され、該羽根が斜め揺れ方式により水車回転台の上に配設され、そして該蓋板の頂端表面から頂持柱を延伸して中空殻体の上端の内壁面に突き当てて水車の変位を避け、更に該水車回転台と蓋板の周辺に複数個の凹口が凹設され、また中空座体の内壁表面の周辺に複数個の凸リブが配設され、該凸リブが水車の凹口と互いに掛合でき、水車が中空座体の内壁表面に固定されることを特徴とする請求項1に記載の噴水器の構造。
【請求項３】
該進水管軸は、上接続段と下接続段を含んでなるが、該上接続段の中段に近接する箇所に一つの出水口が設置され、そして該上接続段の前段が閉鎖端で且つ一つの帽縁部が形成され、後端が開口端で一つのスレッドが形成され、その他に該下接続段の前・後端が何れも開口端となり、且つ下接続段の前端に一つのスレッドが形成され、後端に結合部が設置され、且つ中端箇所に一つのロック・シートを延伸してなり、中空座体の上表面に一つの透過孔が設置され、且つ上接続段が透過孔から中空座体の中に入り込み、上接続段の出水口が中空座体の内に位置され、更に下接続段が中空座体の下表面の透過孔から中空座体の中に入り込み、進水管軸の出水口が中空座体の内に位置され、そして上接続段の後端のスレッドが下接続段の前端のスレッドと互いに螺合されることを特徴とする請求項1に記載の噴水器の構造。
【考案の詳細な説明】
【技術分野】
【０００１】
本考案は、噴水器の構造に関するもので、特に水流を介して中空座体内の水車を衝撃することにより自動的な回転・散水の目的を達成することを、指す。
【背景技術】
【０００２】
故に、一般な慣用の噴水器は、多種類があるが、業者は、自転式ノズル（例えば図1に示すように）を研究して開発するが、そしてその主要な構造の特徴が、「自転式ノズル1は、主として台座11，上半球殻12，下半球殻13と端板14などの部材より構成されるが、該台座11の下端が水管の出水口端に接続された中空接続段111で、中空接続段111の上方に一つの環状ストッパー・プレート112が設けられ、環状ストッパー・プレート112の上方が中空柱体113で、中空柱体113の腹側上における適当な位置上に、一つの偏向スルーホール1131が開設され、中空柱体113の末端が開口状を呈し、対称して中空球体を構成できる上半球殻12と下半球殻13が、その中央には何れも中空柱体113と相対称するスルーホール121、131が設けられ、上半球殻12の上にスルーホール121が設けられ、中空球体が構成された後に、そのスルーホール121、131が台座11の中空柱体113の内に嵌入されることにより、該球体が中空柱体113の上を回転できる状態を呈するが、端板14が、その上に小スルーホール141が設けられ、中空球体が中空柱体113に嵌入された後に、中空柱体113の末端の開口箇所に閉鎖される。」にあるものである。
【０００３】
然しながら、前述の自転式ノズル1は、偏水圧を利用して回転・散水の効果を自動的に達成できるが、但し水圧を使用してノズルの回転と連動し、ノズル1と水圧との摩擦力が不足し、相対的にノズル1の自動的な回転力が小さすぎることにより、散水の効果が予期よりも良くないことを招く。
【０００４】
これより了解できるのは、前述の慣用の品物が依然として数多くの欠点を具し、本当に良好な設計ではなく、そしてより改良する必要がある。
【０００５】
本考案の創作者は、前述の慣用の自転式ノズルにより生成された各項目の欠点に鑑み、より改良して革新しようと意図し、且つ長年をかけて孤独に苦心して鋭意に研究した後に、ついに本考案の噴水器の構造を成功的に研究して完成する。
【考案の開示】
【考案が解決しようとする課題】
【０００６】
本考案の目的は、即ち中空状導水部と水車との組み合わせ方式を利用して水流が中空状導水部の導水口から流れ出し、且つ水車の水車回転台の羽根に強力に衝撃し、水車と中空座体が互いに掛合するので、水車が回転し始める時に、同期に中空座体が連動されて自動的に回転できるものである。
【課題を解決するための手段】
【０００７】
前述の実用新案の目的を達成できる噴水器の構造は、一つの中空座体，一つの水車，一つの進水管軸，エラストマー，二つの漏れ防止アセンブリ・セット，及び二つの耐磨耗性リング・セットを含んでなるが、その中でも、該中空座体が上・下殻体を互いに結合して構成され、且つ上・下殻体の上には、対応する透過孔が設置され、そして上殻体の頂端表面上に複数の噴水孔が設置され、下殻体の内表面に複数の凸リブが設置されるが、該水車が水車回転台と蓋板を互いに結合して構成され、該水車回転台の上に導水用羽根が配設され、更に水車回転台と蓋板の周辺に何れも複数の凹口が凹設され、該凹口が下殻体の凸リブと互いに掛合できるが、該進水管軸は、下接続段を中空状導水部に嵌設して更に上接続段が中空状導水部を突き抜けて且つ下接続段に結合し合い、該上接続段の上に一つの出水口が併設され、該下接続段の後端に一つの結合部が設置され、また該中空状導水部の両側にそれぞれ一つの導水口が設置され、進水管軸が中空座体の透過孔を突き抜けることにより、中空座体が進水管軸の上に回転でき、そして進水管軸の上における出水口が中空状導水部の内に位置されるが、水は、水管を経由して進水管軸に流れ込む時に、進水管軸の出水口を経由して中空状導水部の中に入り込み、再び水が中空状導水部の両側の導水口から排出され、且つ中空座体内の水車を衝撃し、水車内の水車回転台が水流の衝撃による影響を受けた後に、自動的に回転し始め、更にその内に注入した水が頂面の噴水孔を経由してスプレーし、ひいては自動回転および噴水の目的を達成する。
【考案を実施するための最良の形態】
【０００８】
図2と図3を参照して示すように、これが本考案の提供する噴水器の構造で、主として一つの中空座体2，一つの水車3と一つの進水管軸4を含んでなるが、該中空座体2は、一つの上殻体21と一つの下殻体22を含み、該上・下殻体21、22の周辺には、対応するスレッド211、221が設置されることにより、上・下殻体21、22が互いに螺合して中空座体2となることを可能とし、且つその螺合箇所に一つのゴムリング23が設置され、更に上・下殻体21、22の上には、対応する透過孔212、222が設置され、その他に上殻体21の頂端表面の上に複数の噴水孔213が設置され、更に下殻体22の内表面の周辺に少なくとも一つ以上の凸リブ223が配設されるが、該水車3は、一つの水車回転台31と蓋板32を含み、該水車回転台31の上に少なくとも一つ以上の羽根311が配設され、該羽根311が斜め揺れ方式により水車回転台31の上に均一に配設され、そして該蓋板の上端に複数個の頂持柱321が配設され、該頂持柱321が上殻体21の内壁面に突き当てて水車3の変位を避けることが出来、更に該水車回転台31と蓋板32の周辺に少なくとも一つ以上の凹口312、322が凹設され、各凹口312、322が夫々下殻体22の各凸リブ223と互いに掛合できるが、該進水管軸4は、一つの上接続段41，下接続段42と中空状導水部43を含んでなり、該上接続段41の上に出水口411が設置され、且つ該上接続段41の前端が閉鎖端部で、後端が開口端部で、更に上接続段41の前端に一つの帽縁部412が設置され、そして後端にスレッド413が設置され、下接続段42の前・後の両端が何れも開口端となり、且つ下接続段42の前端の内にスレッド421が設置され、後端に結合部422が設置され、且つ中端箇所に一つのロック・シート423を延伸してなり、該ロック・シート423の上に滑り止め紋424が設置され、更にロック・シート423と結合部422との間に一つの環槽425が設置され、該環槽425の上に一つのゴムリング426が設置され、その他に上接続段41と下接続段42との間に一つの中空状導水部43が嵌設され、該中空状導水部43が略S形状を呈し、中空状導水部43の上・下側に夫々一つの接続孔431が開設され、且つ上側の接続孔431の外縁に一つの嵌合槽432が凹設され、そして中空状導水部43の上側の接続孔431が上接続段41の後端と互いに結合し、中空状導水部43の下側の接続孔431が下接続段42の前端と互いに結合し、更に中空状導水部43の両側に夫々一つの導水口433が開設され、該導水口433が水車回転台31の羽根311に相対応して設置され、該上接続段41の後端が中空座体2の上殻体21の透過孔212を突き抜けることにより、上接続段41の頂端の帽縁部412が上殻体21の頂面に互いに当接し、且つ帽縁部412と上殻体21との間に耐磨耗性リング5が設置され、更に上接続段41の後端から順番に複数個の耐磨耗性リング5と一つの漏れ防止アセンブリ・セット6が嵌設されることにより、耐磨耗性リング5が上殻体21の内壁表面に貼り付けて当接され、更に一つのエラストマー7が上接続段41の後端に嵌設され、且つエラストマー7の一端が漏れ防止アセンブリ・セット6に貼り付けて当接され、他端が中空状導水部43の上における嵌合槽432の内に嵌入されるが、該下接続段42の頂端が中空座体2の下殻体の透過孔222を突き抜けることにより、下接続段42のロック・シート423が下殻体22の底面に互いに当接し、且つ下接続段42と下殻体22との間に複数個の耐磨耗性リング5が設置され、更に下接続段42の頂端から順番に複数個の耐磨耗性リング5と一つの漏れ防止アセンブリ・セット6が嵌設されることにより、漏れ防止アセンブリ・セット6が中空状導水部43の下側に貼り付けて当接され、最後に上・下接続段41、42の端部のスレッド413、421が互いに螺合して進水管軸4となることにより、エラストマー7が圧縮状態を呈し、ひいては弾性力を生成し、該弾性力を介して上接続段41，下接続段42と中空状導水部43に位置する漏れ防止アセンブリ・セット6及び耐磨耗性リング5に当接され、漏れ防止アセンブリ・セット6と耐磨耗性リング5を介し、つまり上・下殻体21、22の上における透過孔212、222が緊密に閉鎖でき、これにより、漏れ防止の目的を達成する。
【０００９】
その他に、該エラストマー7がスプリングであってもよいが、上・下殻体21、22と上・下接続段41、42が互いに螺合する時に、つまり該スプリングが圧縮を受けて且つ弾性力を生成する。
【００１０】
その他に、該漏れ防止アセンブリ・セット6が一つの押さえ締めリング61と一つの漏れ防止リング62を含んで構成され、該漏れ防止リング62が一つのフランジ621を延伸してなり、該フランジ621がエラストマー7と中空状導水部43の一端の嵌設に供することにより、漏れ防止アセンブリ・セット6と複数個の耐磨耗性リング5をしっかりと当接する。
【００１１】
その他に、該進水管軸4の下接続段42の後端の開口の中に一つの濾過網8が設置できることにより、水の濾過用と見なす。
【００１２】
図4のA、Bを参照して示すように、これが該噴水器の構造の操作模式図であるが、進水管軸4の下接続段42の後端における結合部422がガーデンの芝生の上における水管9の出水口と互いに固結することにより、水が進水管軸4の出水口411から中空状導水部43の内に流れ込み、再び中空状導水部43の両側の導水口433を経由して流れ出し、且つ水車回転台31の羽根311を絶えずに衝撃し、大水流が小口径の導水口433から中空座体2の中に入り込み、中空座体2の内に入り込む水流の強度が増強することを招き、従って水車回転台31が強力な水流衝撃の影響により自動的に運転し始め、同時に中空座体2の下殻体22の凸リブ223が水車回転台31と蓋板32の凹口312、322と互いに掛合し、つまり同期に中空座体2が連動されて自動的に回転でき、そしてその内に注入した水10が再び上殻体21の頂面の噴水孔213を経由して絶えずにスプレーし、ひいては自動回転および噴水の目的を達成し、且つ耐磨耗性リング5の設置を介し、中空座体2が長時間の回転を経った後に、依然として磨損の状況を発生しにくくなる。
【００１３】
その他に、漏れ防止アセンブリ・セット6を介して中空座体2の透過孔212、222が緊密に閉鎖されることにより、中空座体2の内に注入された水10が噴水孔213のみからスプレーし、水源の無駄を避ける。
【００１４】
図5を参照して示すように、これが本考案の応用の模式図であるが、例えば図に示すように、該進水管軸4の下接続段42の後端の結合部422がシャワー・ノズルのハンドル20と互いに螺合されることにより、本考案をシャワー・ノズルの噴水器とすることが可能である。従って本考案の噴水器は、沐浴・衛生領域、ガーデン園芸領域またはSPAマッサージ領域などに応用できる。
【００１５】
図6のA、B、C、Dを参照して示すように、これが該噴水器の構造の上殻体の噴水孔の各種な配置タイプの模式図であるが、該上殻体21の噴水孔213が配置された位置は、異なるスプレーの効果を生成し、例えば図6Aに示すように、該上殻体21の噴水孔213が直孔状を呈し、且つ均一に上殻体21に配置されることにより、水10は、直射し且つ集中的にスプレーすることが出来、例えば図6Bに示すように、該上殻体21の噴水孔213が図6に示す噴水孔213の配設位置と同じであるが、差異は、該噴水孔213が斜孔状を呈することにより、水10のスプレー範囲が公平的で、スプレーが多角度で且つスプレーされた水がより緻密にあるものであるが、例えば図6Cに示すように、該上殻体21の噴水孔213が直孔状を呈し、そして噴水孔213が上殻体21の端面の両側に集中的に配設され、且つ噴水孔213の配設数量が比較的に少なくなり、開設されたホールも比較的に大きくなり、水10が直射可能な以外に、更に水10の力度合がより強力的で且つ集中し、SPA又は水治療法装置の上に有効に応用して使用できるが、例えば図6Dに示すように、該上殻体21の噴水孔213が直孔状を呈し、そして噴水孔213が上殻体21の端面の両側に集中的に配設され、且つ噴水孔213の配設数量が比較的に多くなり、開設されたホールも比較的に小さくなり、水10は、間欠的にスプレーすることが出来、且つより緻密な水柱を生成でき、同様にSPA又は一般なシャワーの上に応用して使用できる。
【００１６】
更に図7と図8を参照して示すように、これが該噴水器の構造の各種な実施例の視図であるが、例えば図7に示すように、これが本考案の図2に示す構造と大体同じであるが、差異のみは、該上殻体21に一つの透過孔212を設置する必要がなく、上接続段41がこの透過孔212から挿し込まれるように供し、上接続段41が中空状導水部43の下側に結合され、そして上接続段41の出水口411と中空状導水部43の下側の接続孔431が相対応し、中空状導水部43の下側のスレッド413が下接続段42のスレッド421と互いに螺合されるものであるが、その他に、例えば図8に示すように、該下殻体22の内に元の凸リブ223を設置する必要がなく、更に図7の中における水車3の羽根311が下殻体22の内における周縁から直接に上向きに延伸し、且つ羽根311の頂端が上殻体21の内殻面に貼り付けて当接され、この方式により、図2と図7の中における水車3は、下殻体22の内における凸リブ223と互いに掛合する必要があることを省略できる。
【００１７】
従って、前述の2種類の実施例の構造を利用し、同様に依然として自動回転および噴水の目的を達成でき、且つ両実施例の素子が少なくなる原因のため、材料コストの増加を省略できる。
【００１８】
本考案の提供する噴水器の構造は、互いに他の従来の技術と比較すると、更に下記の利点を具する。
【００１９】
1.本考案は、中空状導水部と水車との組み合わせ方式を利用して水流が中空状導水部の導水口から流れ出し、且つ水車の水車回転台の羽根に強力に衝撃し、水車と中空座体が互いに掛合するので、水車が回転し始める時に、同期に中空座体が連動されて自動的に回転できるものである。
【００２０】
2.本考案は、進水管軸の後端に結合部が設置され、該結合部が各種な品物と互いに接続できることにより、該噴水器が、シャワー・ノズル，蛇口，庭・園芸散水器，マッサージ浴槽の噴水器などの領域中に応用できるものである。  
【００２１】
以上の詳細な説明は、本考案に対する実行可能な実施例の具体の説明で、ただ該実施例が本考案の登録請求の範囲を限定するために用いられるわけではなく、如何なる本考案の技術精神をまだ脱逸しない等価な実施または変更が何れも本考案の登録請求の範囲中に含まれるべきである。
【図面の簡単な説明】
【００２２】
【図１】従来の自転式ノズルの構造の模式図である。
【図２】本考案の噴水器の構造の分解斜視図である。
【図３】該噴水器の構造の結合斜視図である。
【図４Ａ】該噴水器の構造の操作模式図である。
【図４Ｂ】該噴水器の構造の操作模式図である。
【図５】該噴水器の構造の応用状態の模式図である。
【図６Ａ】該噴水器の構造の上殻体の噴水孔の各種な配置タイプの模式図である。
【図６Ｂ】該噴水器の構造の上殻体の噴水孔の各種な配置タイプの模式図である。
【図６Ｃ】該噴水器の構造の上殻体の噴水孔の各種な配置タイプの模式図である。
【図６Ｄ】該噴水器の構造の上殻体の噴水孔の各種な配置タイプの模式図である。
【図７】該噴水器の構造の他の実施例の視図である。
【図８】該噴水器の構造の他の実施例の視図である。
【符号の説明】
【００２３】
1  自転式ノズル
2  中空座体
3  水車
4  進水管軸
5  耐磨耗性リング
6  漏れ防止アセンブリ・セット
7  エラストマー
8  濾過網
9  水管
10  水
11  台座
12  上半球殻
13  下半球殻
14  端板
20  シャワー・ノズルのハンドル
21  上殻体
22  下殻体
23  ゴムリング
31  水車回転台
32  蓋板
41  上接続段
42  下接続段
43  中空状導水部
61  押さえ締めリング
62  漏れ防止リング
111  中空接続段
112  環状ストッパー・プレート
113  中空柱体
121  スルーホール
131  スルーホール
141  小スルーホール
211  スレッド
212  透過孔
213  噴水孔
221  スレッド
222  透過孔
223  凸リブ
311  羽根
312  凹口
321  頂持柱
322  凹口
411  出水口
412  帽縁部
413  スレッド
421  スレッド
422  結合部
423  ロック・シート
424  滑り止め紋
425  環槽
426  ゴムリング
431  接続孔
432  嵌合槽
433  導水口
621  フランジ
1131  偏向スルーホール   
【図１】
0003146740.tif 000003
【図２】
0003146740.tif 000004
【図３】
0003146740.tif 000005
【図４Ａ】
0003146740.tif 000006
【図４Ｂ】
0003146740.tif 000007
【図５】
0003146740.tif 000008
【図６Ａ】
0003146740.tif 000009
【図６Ｂ】
0003146740.tif 000010
【図６Ｃ】
0003146740.tif 000011
【図６Ｄ】
0003146740.tif 000012
【図７】
0003146740.tif 000013
【図８】
0003146740.tif 000014